(57)【特許請求の範囲】
【請求項１】
ゴム製のアウトソール５と樹脂製のミッドソール４とを備え、前記アウトソール５の基底面５Ｓから突出しゴム製の複数の第１クリート１１〜１４、第２クリート２２，２３および第３クリート３１〜３４が、各々、前足部５Ｆ、中足部５Ｍおよび後足部５Ｒに配置された靴底において、
前記第１クリート１１〜１４のうち、足の内側ＭＥに配置された内側第１クリート１１，１２は、斜め後方Ｄ２の外側ＬＡに向かう係合面１１Ｅ，１２Ｅを有し、
前記第１クリート１１〜１４のうち、足の外側ＬＡに配置された外側第１クリート１３，１４は、斜め後方Ｄ２の内側ＭＥに向かう係合面１３Ｅ，１４Ｅを有し、
前記第２クリート２２，２３のうち、足の内側ＭＥに配置された内側第２クリート２２は、斜め前方Ｄ１の外側ＬＡに向かう係合面２２Ｅを有し、
前記第２クリート２２，２３のうち、足の外側ＬＡに配置された外側第２クリート２３は、斜め前方Ｄ１の内側ＭＥに向かう係合面２３Ｅを有し、
前記第３クリート３１〜３４のうち、足の内側ＭＥに配置された内側第３クリート３１，３２は、斜め前方Ｄ１の外側ＬＡに向かう係合面３１Ｅ,３２Ｅを有し、
前記第３クリート３１〜３４のうち、足の外側ＬＡに配置された外側第３クリート３３，３４は、斜め前方Ｄ１の内側ＭＥに向かう係合面３３Ｅ,３４Ｅを有することを特徴とする。
【請求項２】
請求項１の靴底において、前記第２クリート２２，２３の係合面２２Ｅ，２３Ｅの少なくとも１つと前記基底面５Ｓとがなす角α２は、前記第２クリート２２，２３の後面ＢＳと前記基底面５Ｓとがなす角β２と同じか、あるいは、この角β２よりも直角に近い角度である。
【請求項３】
請求項１もしくは２の靴底において、前記第３クリート３１〜３４の係合面３１Ｅ〜３４Ｅの少なくとも１つと前記基底面５Ｓとがなす角α３は、前記第３クリート３１〜３４の後面ＢＳと前記基底面５Ｓとがなす角β３と同じか、あるいは、この角β３よりも直角に近い角度である。
【請求項４】
請求項１〜３のいずれか１項の靴底において、前記第１クリート１１〜１４の係合面１１Ｅ〜１４Ｅの少なくとも１つと前記基底面５Ｓとがなす角α１は、前記第１クリート１１〜１４の前面ＦＳと前記基底面５Ｓとがなす角β１と同じか、あるいは、この角β１よりも直角に近い角度である。
【請求項５】
請求項１〜４のいずれか１項の靴底において、前記第１、第２および第３クリート１１〜１４，２２，２３，３１〜３４は前記基底面５Ｓから２〜１０ｍｍ突出している。
【請求項６】
請求項１〜５のいずれか１項の靴底において、前記各第１、第２および第３クリート１１〜１４，２２，２３，３１〜３４における接地する各頂面Ｔの面積が５０〜５００平方ミリメートルである。
【請求項７】
請求項１〜６のいずれか１項の靴底において、前記第２クリート２２，２３のうちの少なくとも１つの係合面２２Ｅ，２３Ｅに垂直な法線ＮＬと足の長軸ＣＬとのなす角θ２２，θ２３が１５°〜４５°に設定され、かつ、当該係合面２２Ｅ，２３Ｅの面積が２０〜５００平方ミリメートルに設定されている。
【請求項８】
請求項１〜７のいずれか１項の靴底において、前記第３クリート３１〜３４のうちの少なくとも１つの係合面３１Ｅ〜３４Ｅに垂直な法線ＮＬと足の長軸ＣＬとのなす角θ３１〜θ３４が１５°〜４５°に設定され、かつ、当該係合面３１Ｅ〜３４Ｅの面積が２０〜５００平方ミリメートルに設定されている。
【請求項９】
請求項１〜８のいずれか１項の靴底において、前記第１クリート１１〜１４のうちの少なくとも１つの係合面１１Ｅ〜１４Ｅに垂直な法線ＮＬと足の長軸ＣＬとのなす角θ１１〜θ１４が２０°〜６０°に設定され、かつ、当該係合面１１Ｅ〜１４Ｅの面積が２０〜５００平方ミリメートルに設定されている。
【請求項１０】
請求項１〜９のいずれか１項の靴底において、前記ミッドソール４はミッドソール本体４０と前記ミッドソール本体４０よりもヤング率の大きい強化装置４１とを包含し、前記強化装置４１の真下に、前記第２クリート２２，２３のうち少なくとも一部が配置されている。
【請求項１１】
請求項１０の靴底において、前記内側第２クリート２２は足の前後方向に互いに離間して複数配置され、無負荷の状態において後方Ｄ２の内側第２クリート２２の頂面Ｔよりも前方の内側第２クリート２２の頂面Ｔの方が路面からの距離が大きく、
前記外側第２クリート２３は足の前後方向に互いに離間して複数配置され、無負荷の状態において後方Ｄ２の外側第２クリート２３の頂面Ｔよりも前方の外側第２クリート２３の頂面Ｔの方が路面からの距離が大きい。
【請求項１２】
請求項１１の靴底において、前記前方Ｄ１の第２クリート２２、２３の頂面Ｔは前記無負荷の状態において接地せず、かつ、片足荷重を足のサイズで除した値が３ｋｇ／ｃｍである場合に接地する。
【請求項１３】
請求項１〜１２のいずれか１項の靴底において、前記内側第３クリート３１，３２は、
足の前後方向に互いに離間し、かつ、アウトソール５の内縁よりも足の長軸ＣＬに近い位置に配置された複数の中央寄りのクリート３２と、足の前後方向に互いに離間し、かつ、前記長軸ＣＬよりも前記内縁に近い位置に配置された複数の内縁寄りのクリート３１とを備え、
前記外側第３クリート３３，３４は、
足の前後方向に互いに離間し、かつ、アウトソール５の外縁よりも足の長軸ＣＬに近い位置に配置された複数の中央寄りのクリート３３と、足の前後方向に互いに離間し、かつ、前記長軸ＣＬよりも前記外縁に近い位置に配置された複数の外縁寄りのクリート３４とを備える。
【請求項１４】
請求項１３の靴底において、前記内側第３クリート３１，３２のうち、前記中央寄りのクリート３２と前記内縁寄りのクリート３１とは、これらの各クリート３１，３２の係合面３１Ｅ，３２Ｅに垂直な法線ＮＬの方向に互いにオフセットされて、かつ、交互に配置され、
前記外側第３クリート３３，３４のうち中央寄りのクリート３３と前記外縁寄りのクリート３４とは、これらの各クリート３３，３４の係合面３３Ｅ，３４Ｅに垂直な法線ＮＬの方向に互いにオフセットされて、かつ、交互に配置されている。
【請求項１５】
請求項１４の靴底において、前記内側第３クリート３１，３２のうち前記中央寄りのクリート３２と、前記外側第３クリート３３，３４のうち前記中央寄りのクリート３３とが、前記長軸ＣＬ方向に互いにオフセットされて配置されている。
【請求項１６】
請求項１〜１５のいずれか１項の靴底において、前記内側第１クリート１１，１２は、
足の前後方向に互いに離間し、かつ、アウトソール５の内縁よりも足の長軸ＣＬに近い位置に配置された複数の中央寄りのクリート１２と、足の前後方向に互いに離間し、かつ、前記長軸ＣＬよりも前記内縁に近い位置に配置された複数の内縁寄りのクリート１１とを備え、
前記外側第１クリート１３，１４は、
足の前後方向に互いに離間し、かつ、アウトソール５の外縁よりも足の長軸ＣＬに近い位置に配置された複数の中央寄りのクリート１３と、足の前後方向に互いに離間し、かつ、前記長軸ＣＬよりも外縁に近い位置に配置された複数の外縁寄りのクリート１４とを備える。
【請求項１７】
請求項１６の靴底において、前記内側第１クリート１１，１２のうち前記中央寄りのクリート１２と、前記内縁寄りのクリート１１とは、これらの各クリート１１，１２の係合面１１Ｅ，１２Ｅに垂直な法線ＮＬの方向に互いにオフセットされて、かつ、交互に配置され、
前記外側第１クリート１３，１４のうち中央寄りのクリート１３と前記外縁寄りのクリート１４とは、これらの各クリート１３，１４の係合面１３Ｅ，１４Ｅに垂直な法線ＮＬの方向に互いにオフセットされて、かつ、交互に配置されている。
【請求項１８】
請求項１７の靴底において、前記内側第１クリート１１，１２のうち前記中央寄りのクリート１２と、前記外側第１クリート１３，１４のうち前記中央寄りのクリート１３とが、前記長軸ＣＬ方向に互いにオフセットされて配置されている。
【請求項１９】
請求項１６〜１８のいずれか１項の靴底において、前記第１クリート１１〜１４のうち中央寄りのクリート１２，１３は、足の内側ＭＥに配置された内側第１クリート１２の係合面１２Ｅよりも外側ＬＡに配置された外側第１クリート１３の係合面１３Ｅの方が面積が大きい。
【請求項２０】
請求項１６〜１９のいずれか１項の靴底において、前記内側第１クリート１１，１２の２つの内縁寄りのクリート１１，１１と２つの中央寄りのクリート１２，１２とで囲まれた領域に配置され、前記内側第１クリート１１，１２の係合面１１Ｅ，１２Ｅと交差する面上に係合面１５Ｅを持つ内側補助クリート１５と、
前記外側第１クリート１３，１４の２つの外縁寄りのクリート１４，１４と２つの中央寄りのクリート１３，１３とで囲まれた領域に配置され、前記外側第１クリート１３，１４の係合面１３Ｅ，１４Ｅと交差する面上に係合面１６Ｅを持つ外側補助クリート１６とを備え、
前記各補助クリート１５，１６は前記第１クリート１１〜１４から離間して配置されている。
【請求項２１】
請求項１〜２０のいずれか１項の靴底において、足の長軸ＣＬに沿って前後に滑らかに延びる仮想のラインＶＬが設定され、前記各内側クリート１１，１２，２２，３１，３２は前記仮想のラインＶＬよりも内側ＭＥに配置され、前記各外側クリート１３，１４，２３，３３，３４は前記仮想のラインＶＬよりも外側ＬＡに配置されている。
【請求項２２】
請求項２１の靴底において、前記第１および第３クリート１１〜１４、３１〜３４のうち前記仮想のラインＶＬに近接して配置されたクリート１２，１３，３２，３３の横には前記仮想のラインＶＬに最も接近した第１辺Ｓ１に沿った第１溝Ｇ１が形成されている。
【請求項２３】
請求項２２の靴底において、前記仮想のラインＶＬに近接して配置されたクリート１２，１３，３２，３３の前記第１辺Ｓ１に隣接する一対の第２辺Ｓ２，Ｓ２に沿って、前記第１溝Ｇ１に連なる第２溝Ｇ２が形成されている。
【請求項２４】
請求項２１の靴底において、前記基底面５Ｓには前記仮想のラインＶＬに沿って前足部５Ｆから後足部５Ｒまで延びる長い溝Ｇが形成されている。
【請求項２５】
請求項１〜２４のいずれか１項の靴底において、前記第１クリート１１〜１４のうちの中央寄りのクリート１２，１３と、前記第２クリート２２，２３と、前記第３クリート３１〜３４のうちの中央寄りのクリート３２，３３は、方形の厚板状に形成されている。
【請求項２６】
請求項６,１１もしくは１２の靴底において、２ｍｍ〜１０ｍｍの高さを持つ前記第２クリート２２，２３の前記頂面Ｔの面積の総和が、靴底の中足部５Ｍを平面に投影した投影面積の２０％〜６０％である。
【請求項２７】
請求項１〜２６のいずれか１項の靴底において、前記前足部５Ｆにおける第１中足趾節間関節ＭＰ１よりも後方Ｄ２の領域５ＦＲにおいて２ｍｍ〜１０ｍｍの高さを持つ前記クリート１１〜１６の頂面Ｔの面積の総和が、靴底の前記後方Ｄ２の領域５ＦＲを平面に投影した投影面積の２５％〜６５％である。
【請求項２８】
請求項１〜２７のいずれか１項の靴底において、前記前足部５Ｆにおける中足趾節間関節を連ねたラインＭＰよりも後方Ｄ２の領域５Ｆ２には、第４クリート４２，４３が設けられ、
前記第４クリート４２，４３のうち、足の内側ＭＥに配置された内側第４クリート４２は、斜め前方Ｄ１の外側ＬＡに向かう係合面４２Ｅを有し、
前記第４クリート４２，４３のうち、足の外側ＬＡに配置された外側第４クリート４３は、斜め前方Ｄ１の内側ＭＥに向かう係合面４３Ｅを有する。
【請求項２９】
請求項９の靴底において、前記前足部５Ｆにおける母趾球Ｏ１よりも前方Ｄ１において、前記内側第１クリート１１は、後方Ｄ２のクリート程、前記角θ１１が大きい。
【請求項３０】
請求項１〜２９のいずれか１項の靴底において、前記前足部５Ｆにおける母趾球Ｏ１の周りには、前記母趾球Ｏ１に向かう係合面１０Ｅ，１１Ｅ，４２Ｅ，４３Ｅを持つ複数の第１および第４クリート１０，１１，４２，４３を更に備える。
【請求項３１】
請求項１〜３０のいずれか１項の靴底において、前記中足部５Ｍには、
斜め前方Ｄ１の外側に向かう係合面２１Ｅを有し、前記内側第２クリート２２よりも内縁寄りに配置された内縁寄り第２クリート２１と、
前記斜め前方Ｄ１の内側に向かう係合面２４Ｅを有し、前記外側第２クリート２３よりも外縁寄りに配置された外縁寄り第２クリート２４とを更に備える。
【請求項３２】
請求項３１の靴底において、前記内縁寄り第２クリート２１は前記内側第２クリート２２のうち最も後方の内側第２クリート２２よりも更に後方に配置され、
前記外縁寄り第２クリート２４は前記外側第２クリート２３のうち最も後方の外側第２クリート２３よりも更に後方に配置されている。
【請求項３３】
請求項３１もしくは３２の靴底において、前記内側第２クリート２２のうちの最も後方の内側第２クリート２２と前記内側第３クリート３２のうち最も前方の内側第３クリート３２との間には、これらのクリート２２，３２に対し、前記係合面２１Ｅに垂直な法線ＮＬの方向にオフセットされて、前記内縁寄り第２クリート２１が配置され、
前記外側第２クリート２３のうち最も後方の外側第２クリート２３と前記外側第３クリート３３のうち最も前方の外側第３クリート３３との間には、これらのクリート２３，３３に対し、前記係合面２４Ｅに垂直な法線ＮＬの方向にオフセットされて、前記外縁寄り第２クリート２４が配置されている。
【請求項３４】
請求項１〜３３のいずれか１項の靴底において、前記内側第２クリート２２と、前記外側第２クリート２３とが、足の長軸方向ＣＬ方向に互いにオフセットされて配置されている。
【発明の詳細な説明】
【技術分野】
【０００１】
本発明はトレイルランニング、登山、クロスカントリーのような不整地路面に適した靴底の他に、散歩用、雨用および日常的な靴の靴底に関する。本発明において、不整地路面には、ぬかるんだ路面や傾斜した路面や凹凸のある路面等が含まれる。
【背景技術】
【０００２】
一般に、不整地路面でのグリップ性を向上させる為には、クリートが路面に貫入し、グリップする時にかき出す土の量を大きくさせることが効果的である。その為、グリップする時に路面からクリートにかかる荷重の向きとその投影面積を考慮する事が重要となる。しかし、従来は傾斜した路面の歩行時におけるソール面内での荷重の方向が十分に考慮されていない。特に、中足部には接地しないアーチが形成されている場合が多く、十分にグリップ性を考慮したクリートの設計はなされていないようである。
【先行技術文献】
【特許文献】
【０００３】
【特許文献１】ＪＰ２０１１−３８２Ａ（要約）
【特許文献２】ＪＰ２００９−２３３１６３Ａ（要約）
【特許文献３】ＪＰ２００７−３０７３７７Ａ（要約）
【特許文献４】ＪＰ２００２−０３４６０９Ａ（要約）
【特許文献５】ＪＰ０９−０７５１０６Ａ（要約）
【特許文献６】ＪＰ０７−１３６００３Ａ（要約）
【発明の概要】
【０００４】
したがって、本発明の目的は傾斜した路面の特に不整地路面におけるグリップ性に優れた靴底を提供することである。
【０００５】
本発明の構成の説明に先立って、傾斜路面において、ソール面内での荷重の方向について説明される。
【０００６】
本発明者は、まず、傾斜路面で歩行（４ｋｍ／ｈ）した時にソール面内にかかる主な荷重の向きを算出した。荷重の方向を図示したものを図１１Ａに示す。図１１Ａにおいて一点鎖線および実線は、それぞれ、降り歩行時および登り歩行時に主にかかる荷重の向きを示している。
【０００７】
この一点鎖線で示すように、降り歩行時には後足部５Ｒから中足部５Ｍおよび前足部５Ｆの後端にかけて後方の斜め内側ＭＥ及び外側ＬＡに向かって荷重がかかる。一方、実線で示すように、登り歩行時には、前足部５ＦのＭＰ（中足趾節間）関節を連ねたラインＭＰよりも前方Ｄ１において、前方の斜め内側ＭＥ、前方の斜め外側ＬＡおよび前方に向かって荷重がかかる事が分かる。
【０００８】
このような荷重の生じる原因について考察する。
登り歩行時には靴底が接地した後、離地する前に、足がＭＰ関節を連ねたラインＭＰにおいて背屈し、この背屈した状態で前記ラインＭＰよりも足の前の部分が路面の土を後方に向かって掻き出す。したがって、前方Ｄ１へのベクトルを持つ荷重が発生する。更に、前足部が母趾球を中心に、爪先が外側に移動する方向に回転することにより、足の外側ＬＡでは斜め前方Ｄ１の外側ＬＡに向かう荷重が生じ、一方、足の内側ＭＥでは斜め前方Ｄ１の内側ＭＥに向かう荷重が生じるものと推測される。
【０００９】
一方、歩行に際し靴のソールは、一般にＭＰ関節を連ねたラインＭＰよりも前方Ｄ１において、若干屈曲して上方に浮き上がっている。そのため、降り歩行時には、前記ラインＭＰよりも前方Ｄ１の部位が接地する前に、前記ラインＭＰよりも後方Ｄ２の部位が全体に接地する。
【００１０】
ここで、前記ラインＭＰよりも後方Ｄ２の部位において、アウトソール５から路面にかかる荷重は、足の長軸ＣＬ上および母趾球Ｏ１付近において大きく、アウトソール５の内外縁において小さい。すなわち、アウトソールから路面への力について、降り歩行時について考察すると、ソール外周部には力がかからないため、爪先側に滑る方向にかかる力の他にソール中央部に集まる方向に力が付加された合力となる。一方、降り歩行時に路面からアウトソールへの力の方向は、前記合力とは逆向きになる。
このような理由から、図１１Ａの一点鎖線で示すように、路面からアウトソール５にかかる荷重は、長軸ＣＬおよび母趾球Ｏ１を中心に、足の外側ＬＡでは斜め後方Ｄ２の外側ＬＡに向かい、一方、足の内側ＭＥでは斜め後方Ｄ２の内側ＭＥに向かうものと推測される。
【００１１】
本発明はある局面において、ゴム製のアウトソール５と樹脂製のミッドソール４とを備え、前記アウトソール５の基底面５Ｓから突出しゴム製の複数の第１クリート１１〜１４、第２クリート２２，２３および第３クリート３１〜３４が、各々、前足部５Ｆ、中足部５Ｍおよび後足部５Ｒに配置された靴底において、
前記第１クリート１１〜１４のうち、足の内側ＭＥに配置された内側第１クリート１１，１２は、斜め後方Ｄ２の外側ＬＡに向かう係合面１１Ｅ，１２Ｅを有し、
前記第１クリート１１〜１４のうち、足の外側ＬＡに配置された外側第１クリート１３，１４は、斜め後方Ｄ２の内側ＭＥに向かう係合面１３Ｅ，１４Ｅを有し、
前記第２クリート２２，２３のうち、足の内側ＭＥに配置された内側第２クリート２２は、斜め前方Ｄ１の外側ＬＡに向かう係合面２２Ｅを有し、
前記第２クリート２２，２３のうち、足の外側ＬＡに配置された外側第２クリート２３は、斜め前方Ｄ１の内側ＭＥに向かう係合面２３Ｅを有し、
前記第３クリート３１〜３４のうち、足の内側ＭＥに配置された内側第３クリート３１，３２は、斜め前方Ｄ１の外側ＬＡに向かう係合面３１Ｅ,３２Ｅを有し、
前記第３クリート３１〜３４のうち、足の外側ＬＡに配置された外側第３クリート３３，３４は、斜め前方Ｄ１の内側ＭＥに向かう係合面３３Ｅ,３４Ｅを有することを特徴とする。
【００１２】
なお、本発明において「〜に向かう係合面」とは「〜に向かって概ね直交する係合面」を意味する。但し、係合面は基底面５Ｓに対し垂直である必要はなく、基底面５Ｓに対し７０°〜１１０°であればよい。
【００１３】
本発明において、前足部５Ｆの内側第１クリート１１，１２の係合面１１Ｅ，１２Ｅは、斜め後方の外側ＬＡに向かっており、一方、前足部５Ｆの外側第１クリート１３，１４の係合面１３Ｅ，１４Ｅは、斜め後方の内側ＭＥに向かっている。そのため、前述した荷重の方向に直交するように係合面１１Ｅ〜１４Ｅが係合し易い。したがって、登り歩行時のグリップ性が高く滑りにくいだろう。
かかるグリップ性能は、平地の歩行においても同様に発揮されるだろう。
【００１４】
一方、中足部５Ｍおよび後足部５Ｒにおいて、内側の第２および第３クリート２２，３１,３２の係合面２２Ｅ，３１Ｅ,３２Ｅは、斜め前方の外側ＬＡに向かっている。また、中足部５Ｍおよび後足部５Ｒにおいて、外側の第２および第３クリート２３,３３,３４の係合面２３Ｅ,３３Ｅ,３４Ｅは、斜め前方の内側ＭＥに向かっている。そのため、前述した荷重の方向に直交するように係合面２２Ｅ，２３Ｅ，３１Ｅ〜３４Ｅが係合し易い。したがって、降り歩行時のグリップ性が高く滑りにくいだろう。
かかるグリップ性能は、平地の歩行においても同様に発揮されるだろう。
【図面の簡単な説明】
【００１５】
【図１】図１は本発明の実施例１にかかる靴底を示す概略底面図である。
【図２】図２は同靴底の前足部を拡大して示す概略底面図である。
【図３】図３は同靴底の中足部および後足部を拡大して示す概略底面図である。
【図４】図４Ａは図１のＩＶ−ＩＶ線断面図、図４Ｂは同図の部分的な拡大断面図である。
【図５】図５Ａ、図５Ｂ、図５Ｃ、図５Ｄ、図５Ｅおよび図５Ｆは、それぞれ、図２又は図３のＡ−Ａ、Ｂ−Ｂ、Ｃ−Ｃ、Ｄ−Ｄ、Ｅ−ＥおよびＦ−Ｆ線におけるアウトソールの断面図である。
【図６】図６は前足部を内側から見たアウトソールの斜視図である。
【図７】図７は前足部を外側から見たアウトソールの斜視図である。
【図８】図８は後足部を内側から見たアウトソールの斜視図である。
【図９】図９は後足部を外側から見たアウトソールの斜視図である。
【図１０】図１０Ａはクリートのうち高さが２．８ｍｍ以上のクリートのみを示す靴底の底面図、図１０Ｂは足の骨格を示す平面図である。
【図１１】図１１Ａは登り歩行および降り歩行においてソール面内に生じる力をベクトルで示す平面図、図１１Ｂ、図１１Ｃおよび図１１Ｄは各々、クリートの他の配置例等を示す靴底の概略底面図である。
【発明を実施するための形態】
【００１６】
好ましくは、前記第２クリート２２，２３の係合面２２Ｅ，２３Ｅの少なくとも１つと前記基底面５Ｓとがなす角α２は、前記第２クリート２２，２３の後面ＢＳと前記基底面５Ｓとがなす角β２と同じか、あるいは、この角β２よりも直角に近い角度である。
【００１７】
角α２が角β２よりも直角に近い場合、中足部５Ｍにおいて前記係合面２２Ｅ，２３Ｅは土に係合し易くグリップ性能が高まり、一方、前記後面ＢＳが前記基底面５Ｓに対して傾いている場合、前記第２クリート２２，２３の頂面Ｔの面積よりも、前記基底面５Ｓにおいて前記第２クリート２２，２３が突出するエリアの面積が拡大し、足裏に負荷される荷重が分散し、足裏の突き上げ緩和が期待できるだろう。
なお、十分な係合作用を得るには、係合面は基底面５Ｓに対し、８０°〜１００°に設定されるのがより好ましい。 
【００１８】
好ましくは、前記第３クリート３１〜３４の係合面３１Ｅ〜３４Ｅの少なくとも１つと前記基底面５Ｓとがなす角α３は、前記第３クリート３１〜３４の後面ＢＳと前記基底面５Ｓとがなす角β３と同じか、あるいは、この角β３よりも直角に近い角度である。
【００１９】
好ましくは、前記第１クリート１１〜１４の係合面１１Ｅ〜１４Ｅの少なくとも１つと前記基底面５Ｓとがなす角α１は、前記第１クリート１１〜１４の前面ＦＳと前記基底面５Ｓとがなす角β１と同じか、あるいは、この角β１よりも直角に近い角度である。
【００２０】
角α３が角β３よりも直角に近い場合や角α１が角β１よりも直角に近い場合、同様に、後足部５Ｒおよび前足部５Ｆにおいて、グリップ性能の向上と突き上げ緩和が期待できる。
【００２１】
好ましくは、前記第１、第２および第３クリート１１〜１４，２２，２３，３１〜３４は概ね前記基底面５Ｓから２〜１０ｍｍ突出している。なお、第１〜第３クリート以外のクリートについては、２ｍｍ未満の高さのクリートが存在していてもよい。
【００２２】
この場合、基底面５Ｓからの突出高さＨが２ｍｍ（ミリメートル）以上であることにより、ある程度の係合力が得られる。また、突出高さＨが１０ｍｍ以下であることにより安定性や軽量性も阻害されない。
【００２３】
このような理由から、前記突出高さＨは２．５〜８ｍｍ程度がより好ましく、２．８〜７ｍｍ程度が更に好ましく、３〜６ｍｍ程度が最も好ましい。
【００２４】
好ましくは、前記各第１、第２および第３クリート１１〜１４，２２，２３，３１〜３４における接地する各頂面Ｔの面積は５０〜５００平方ミリメートルであり、より好ましくは、５０〜３００平方ミリメートルである。
【００２５】
頂面Ｔの面積が５０平方ミリメートル未満であると、十分な長さの係合面が形成されにくい。一方、頂面Ｔの面積が３００平方ミリメートルを越えると、クリートが地面に入り込み難いだろう。
【００２６】
好ましくは、前記第２クリート２２，２３のうちの少なくとも１つの係合面２２Ｅ，２３Ｅに垂直な法線ＮＬと足の長軸ＣＬとのなす角θ２２，θ２３が１５°〜４５°に設定され、かつ、当該係合面２２Ｅ，２３Ｅの面積が２０〜５００平方ミリメートルに設定され、より好ましくは、当該面積が４０〜２００平方ミリメートルに設定されている。
ここで、「係合面に垂直な法線と足の長軸とのなす角」は、係合面が基底面５Ｓに対し傾斜している場合を考慮し、前記法線および前記長軸を基底面５Ｓ上に投影した場合の両線のなす角を意味する。
【００２７】
この場合、中足部５Ｍにおいて係合面２２Ｅ，２３Ｅが所期の係合方向に向かって係合力を発揮するだろう。
角θ２２，θ２３が１５°よりも小さいか、あるいは、４５°よりも大きいと、係合方向にズレが生じ、十分な係合力が発揮されない。
また、係合面積が４０平方ミリメートル未満であると、地面に十分に係合しにくく、一方、２００平方ミリメートルを越えると、１つのクリートの係合力が局所的に大きくなって、歩行のバランスが崩れ易いかもしれない。
【００２８】
このような理由から、より好ましくは前記角θ２２，θ２３が１５°〜４５°に設定された係合面２２Ｅ，２３Ｅは、内側および外側第２クリート２２，２３の双方（各々）について少なくとも１つ又は複数個形成される。更に好ましくは、前記両係合面２２Ｅ，２３Ｅに垂直な法線ＮＬと足の長軸ＣＬとのなす角θ２２，θ２３が２０°〜４０°に設定され、最も好ましくは当該係合面２２Ｅ，２３Ｅの面積が５０〜１６０平方ミリメートルに設定される。
【００２９】
好ましくは、前記第３クリート３１〜３４のうちの少なくとも１つの係合面３１Ｅ〜３４Ｅに垂直な法線ＮＬと足の長軸ＣＬとのなす角θ３１〜θ３４が１５°〜４５°に設定され、かつ、当該係合面３１Ｅ〜３４Ｅの面積が２０〜５００平方ミリメートルに設定され、より好ましくは、４０〜２００平方ミリメートルに設定されている。
【００３０】
この場合、前述の中足部５Ｍと同様、後足部５Ｒにおいて係合面３１Ｅ〜３４Ｅが所期の係合方向に向かって係合力を発揮するだろう。
【００３１】
前述と同様の理由から、より好ましくは前記角θ３１〜θ３４が１５°〜４５°に設定された係合面３１Ｅ〜３４Ｅは、内側および外側の第３クリート３１〜３４の双方（各々）について少なくとも１つ又は複数個形成される。更に好ましくは、前記係合面３１Ｅ〜３４Ｅに垂直な法線ＮＬと足の長軸ＣＬとのなす角θ３１〜θ３４は２０°〜４０°に設定され、最も好ましくは当該係合面３１Ｅ〜３４Ｅの面積が５０〜１６０平方ミリメートルに設定される。
【００３２】
好ましくは、前記第１クリート１１〜１４のうちの少なくとも１つの係合面１１Ｅ〜１４Ｅに垂直な法線ＮＬと足の長軸ＣＬとのなす角θ１１〜θ１４が２０°〜６０°に設定され、かつ、当該係合面１１Ｅ〜１４Ｅの面積が２０〜５００平方ミリメートルに設定され、より好ましくは、４０〜２００平方ミリメートルに設定されている。
【００３３】
この場合、前述の中足部５Ｍと同様、前足部５Ｆにおいて係合面１１Ｅ〜１４Ｅが所期の係合方向に向かって係合力を発揮するだろう。
【００３４】
前述と同様の理由から、より好ましくは前記角θ１１〜θ１４が２０°〜６０°に設定された係合面１１Ｅ〜１４Ｅは、内側および外側第１クリート１１〜１４の双方（各々）について少なくとも１つ又は複数個形成される。更に好ましくは、前記係合面１１Ｅ〜１４Ｅに垂直な法線ＮＬと足の長軸ＣＬとのなす角θ１１〜θ１４が２５°〜５５°に設定され、最も好ましくは当該係合面１１Ｅ〜１４Ｅの面積が６０〜２００平方ミリメートルに設定される。
【００３５】
好ましくは、前記ミッドソール４はミッドソール本体４０と前記ミッドソール本体４０よりもヤング率の大きい強化装置４１とを包含し、前記強化装置４１の真下に、前記第２クリート２２，２３のうち少なくとも一部が配置されている。
【００３６】
中足部５Ｍの第２クリート２２，２３が接地するとその反力がリスフラン関節とショパール関節の間の中足１Ｍに負荷され、足裏に突き上げを感じ易い。これに対し、この例では、強化装置４１の真下の一部に第２クリート２２，２３が配置されており、前記突き上げを感じにくいだろう。
【００３７】
特に、強化装置４１が発泡体の樹脂で形成されている場合、足のアーチに適度なクッションを与えると共に、足のアーチの落ち込みを抑制する。
【００３８】
更に好ましくは、前記内側第２クリート２２は足の前後方向に互いに離間して複数配置され、無負荷の状態において後方Ｄ２の内側第２クリート２２の頂面Ｔよりも前方の内側第２クリート２２の頂面Ｔの方が路面からの距離が大きく、
前記外側第２クリート２３は足の前後方向に互いに離間して複数配置され、無負荷の状態において後方Ｄ２の外側第２クリート２３の頂面Ｔよりも前方の外側第２クリート２３の頂面Ｔの方が路面からの距離が大きい。
【００３９】
中足部５Ｍにおいて、前方の第２クリート２２，２３の頂面Ｔは後方の第２クリート２２，２３の頂面Ｔよりも路面１００からの距離が大きい。したがって、着地後のフットフラット時にアウトソール５上のミッドソール４の上面は中足部５Ｍにおいて前方Ｄ１が沈み易い。そのため、フットフラット時に中足部５Ｍに生じ易い荷重の停滞が生じにくく、前進歩行し易い。
【００４０】
更に好ましくは、前記前方Ｄ１の第２クリート２２、２３の頂面Ｔは前記無負荷の状態において接地せず、かつ、片足荷重（片側の靴に対する荷重）を足のサイズで除した値が８ｋｇ／ｃｍ、より好ましくは４ｋｇ／ｃｍ、さらにより好ましくは３ｋｇ／ｃｍである場合に接地する。
高速歩行時に中足部にかかる片足荷重は体重の６０％程度（低速歩行時は体重の８０％程度）であり、体重６０ｋｇ、足のサイズ２７ｃｍの場合、６０ｋｇ×０．６÷２７ｃｍ＝１．３３ｋｇ／ｃｍの荷重がかかる。したがって、特に好ましくは、前記値が少なくとも２ｋｇ／ｃｍである場合に接地し、最も好ましくは少なくとも１．３ｋｇ／ｃｍである場合に接地する。なお、高速走行時に中足部にかかる片足荷重は体重の３００％程度であり、体重７０ｋｇ、足のサイズ２７ｃｍの場合、７０ｋｇ×３．０÷２７ｃｍ＝７．７８ｋｇ／ｃｍの荷重がかかる。また、低速走行時に中足部にかかる片足荷重は体重の１５０％程度であり、体重７０ｋｇ、足のサイズ２７ｃｍの場合、７０ｋｇ×１．５÷２７ｃｍ＝３．８９ｋｇ／ｃｍの荷重がかかる。また、低速歩行時に中足部にかかる片足荷重は体重の８０％程度であり、体重７０ｋｇ、足のサイズ２７ｃｍの場合、７０ｋｇ×０．８÷２７ｃｍ＝２．０７ｋｇ／ｃｍの荷重がかかる。
【００４１】
この場合、歩行時に前方Ｄ１の第２クリート２２，２３は接地し、足のアーチの落ち込みを抑制し得ると共に、接地後は地面に入り込み、係合力を発揮する。
【００４２】
前記アーチの落ち込み抑制の観点から、前記前方Ｄ１の第２クリート２２，２３の頂面Ｔから路面１００までの距離は０．５ｍｍ〜２．０ｍｍ程度が好ましい。同様の理由から、片足荷重を足のサイズで除した値が０．５ｋｇ／ｃｍ以下においては、前記前方Ｄ１の第２クリート２２，２３は接地しないのがより好ましく、片足荷重を足のサイズで除した値が１ｋｇ／ｃｍ以下においては、前記前方Ｄ１の第２クリート２２，２３は接地しないのが特に好ましい。
【００４３】
好ましくは、前記内側第３クリート３１，３２は、
足の前後方向に互いに離間し、かつ、アウトソール５の内縁よりも足の長軸ＣＬに近い位置に配置された複数の中央寄りのクリート３２と、足の前後方向に互いに離間し、かつ、前記長軸ＣＬよりも前記内縁に近い位置に配置された複数の内縁寄りのクリート３１とを備え、
前記外側第３クリート３３，３４は、
足の前後方向に互いに離間し、かつ、アウトソール５の外縁よりも足の長軸ＣＬに近い位置に配置された複数の中央寄りのクリート３３と、足の前後方向に互いに離間し、かつ、前記長軸ＣＬよりも前記外縁に近い位置に配置された複数の外縁寄りのクリート３４とを備える。
【００４４】
この場合、後足部５Ｒの内側ＭＥにおいて、少なくとも４つのクリート３１，３２が前後左右に離間した状態で配置され、一方、後足部５Ｒの外側ＬＡにおいても同様に配置されている。そのため、後足部５Ｒ全体において、係合力や支持力を発揮しやすくなり、後足部５Ｒの支持が安定し易いだろう。
【００４５】
更に好ましくは、前記内側第３クリート３１，３２のうち、前記中央寄りのクリート３２と前記内縁寄りのクリート３１とは、これらの各クリート３１，３２の係合面３１Ｅ，３２Ｅに垂直な法線ＮＬの方向に互いにオフセットされて、かつ、交互に配置され、
前記外側第３クリート３３，３４のうち中央寄りのクリート３３と前記外縁寄りのクリート３４とは、これらの各クリート３３，３４の係合面３３Ｅ，３４Ｅに垂直な法線ＮＬの方向に互いにオフセットされて、かつ、交互に配置されている。
【００４６】
この場合、後足部５Ｒの内外の各々において、少なくとも４つのクリートが法線ＮＬ方向に互いにオフセットされて、かつ、交互に配置されている。そのため、後足部５Ｒを横断する任意ライン上には前記クリートのいずれかが配置され易く、後足部５Ｒ全体において、係合力や支持力を更に発揮しやすくなり、後足部５Ｒの支持が更に安定し易いだろう。
【００４７】
更に好ましくは、前記内側第３クリート３１，３２のうち前記中央寄りのクリート３２と、前記外側第３クリート３３，３４のうち前記中央寄りのクリート３３とが、前記長軸ＣＬ方向に互いにオフセットされて配置されている。
【００４８】
この場合、後足部５Ｒの少なくとも８つのクリート３１〜３４が更にオフセットされている。そのため、後足部５Ｒ全体において、係合力や支持力を更に一層発揮しやすくなり、後足部５Ｒの支持が更に一層安定し易いだろう。
【００４９】
好ましくは、前記内側第１クリート１１，１２は、
足の前後方向に互いに離間し、かつ、アウトソール５の内縁よりも足の長軸ＣＬに近い位置に配置された複数の中央寄りのクリート１２と、足の前後方向に互いに離間し、かつ、前記長軸ＣＬよりも前記内縁に近い位置に配置された複数の内縁寄りのクリート１１とを備え、
前記外側第１クリート１３，１４は、
足の前後方向に互いに離間し、かつ、アウトソール５の外縁よりも足の長軸ＣＬに近い位置に配置された複数の中央寄りのクリート１３と、足の前後方向に互いに離間し、かつ、前記長軸ＣＬよりも外縁に近い位置に配置された複数の外縁寄りのクリート１４とを備える。
【００５０】
この場合、前足部５Ｆの内側ＭＥにおいて、少なくとも４つのクリート１１，１２が前後左右に離間した状態で配置され、一方、前足部５Ｆの外側ＬＡにおいても同様に配置されている。そのため、前足部５Ｆ全体において、係合力や支持力を発揮しやすくなり、前足部５Ｆの支持が安定し易いだろう。
【００５１】
更に好ましくは、前記内側第１クリート１１，１２のうち前記中央寄りのクリート１２と、前記内縁寄りのクリート１１とは、これらの各クリート１１，１２の係合面１１Ｅ，１２Ｅに垂直な法線ＮＬの方向に互いにオフセットされて、かつ、交互に配置され、
前記外側第１クリート１３，１４のうち中央寄りのクリート１３と前記外縁寄りのクリート１４とは、これらの各クリート１３，１４の係合面１３Ｅ，１４Ｅに垂直な法線ＮＬの方向に互いにオフセットされて、かつ、交互に配置されている。
【００５２】
この場合、前足部５Ｆの内外の各々において、少なくとも４つのクリートが法線ＮＬ方向に互いにオフセットされて、かつ、交互に配置されている。そのため、前足部５Ｆを横断する任意ライン上には前記クリートのいずれかが配置され易く、前足部５Ｆ全体において、係合力や支持力を更に発揮しやすくなり、前足部５Ｆの支持が更に安定し易いだろう。
【００５３】
更に好ましくは、前記内側第１クリート１１，１２のうち前記中央寄りのクリート１２と、前記外側第１クリート１３，１４のうち前記中央寄りのクリート１３とが、前記長軸ＣＬ方向に互いにオフセットされて配置されている。
【００５４】
この場合、前足部５Ｆの少なくとも８つのクリート１１〜１４が更にオフセットされている。そのため、前足部５Ｆ全体において、係合力や支持力を更に一層発揮しやすくなり、前足部５Ｆの支持が更に一層安定し易いだろう。
【００５５】
好ましくは、前記第１クリート１１〜１４のうち中央寄りのクリート１２，１３は、足の内側ＭＥに配置された内側第１クリート１２の係合面１２Ｅよりも、足の外側ＬＡに配置された外側第１クリート１３の係合面１３Ｅの方が面積が大きい。
【００５６】
歩行時、ソール面内の荷重分布は母趾球を中心に荷重の向きが変化する。そのため、足幅方向においてクリートの係合面の向きが変化する境界ラインは、足の長軸から母趾球寄りのやや内側のラインに片寄る。そのため、このラインよりも内側エリアに比べ外側エリアの面積が大きくなる。したがって、外側第１クリート１３の係合面１３Ｅの面積を内側第１クリート１２のそれよりも大きくすることで、係合力が発揮され易い。
【００５７】
好ましくは、前記内側第１クリート１１，１２の２つの内縁寄りのクリート１１，１１と２つの中央寄りのクリート１２，１２とで囲まれた領域に配置され、前記内側第１クリート１１，１２の係合面１１Ｅ，１２Ｅと交差する面上に係合面１５Ｅを持つ内側補助クリート１５と、
前記外側第１クリート１３，１４の２つの外縁寄りのクリート１４，１４と２つの中央寄りのクリート１３，１３とで囲まれた領域に配置され、前記外側第１クリート１３，１４の係合面１３Ｅ，１４Ｅと交差する面上に係合面１６Ｅを持つ外側補助クリート１６とを備え、
前記各補助クリート１５，１６は前記第１クリート１１〜１４から離間して配置されている。
【００５８】
前足１Ｆには足趾が配置されており、後足１Ｒに比べ複雑な種々の動作が要求される。例えば、内外の斜め前方に推進して方向転換をしたり、あるいは、急に停止する場合にも前足１Ｆにおいて種々の方向の係合力が必要となるであろう。
【００５９】
かかる観点から、前記第１クリート１１〜１４の係合面１１Ｅ〜１４Ｅと交差する面上に係合面１５Ｅ，１６Ｅを持つ各補助クリート１５，１６は、前記方向転換等の際に係合力を発揮するだろう。
特に、主たる第１クリート１１〜１４と各補助クリート１５，１６とが互いに離間して配置されていることで、前足部５Ｆにおいて、クリート間に粘土質の土が粘着する事態を招きにくいかもしれない。
【００６０】
好ましくは、足の長軸ＣＬに沿って前後に滑らかに延びる仮想のラインＶＬが設定され、前記各内側クリート１１，１２，２２，３１，３２は前記仮想のラインＶＬよりも内側ＭＥに配置され、前記各外側クリート１３，１４，２３，３３，３４は前記仮想のラインＶＬよりも外側ＬＡに配置されている。
【００６１】
この場合、前記内側の各クリートと外側の各クリートとの間である前記仮想のラインＶＬ上において、ミッドソール４がアウトソール５の薄い板状の部分で支持され、クリートに支持されない。そのため、ミッドソール４の上面が仮想のラインＶＬに沿って下方に沈み易く、足が長軸ＣＬに沿って案内され、足の内反りや外反りが生じにくい。したがって、歩行や走行の効率がアップするだろう。
【００６２】
更に好ましくは、前記第１および第３クリート１１〜１４、３１〜３４のうち前記仮想のラインＶＬに近接して配置されたクリート１２，１３，３２，３３の横には前記仮想のラインＶＬに最も接近した第１辺Ｓ１に沿った第１溝Ｇ１が形成されている。
【００６３】
前記第１溝Ｇ１が形成されていることで、ミッドソール４の上面が前記第１辺Ｓ１の近傍において下方に沈み易い。したがって、前記ミッドソール４の上面が仮想のラインＶＬに沿って更に下方に沈み易いだろう。
【００６４】
更に好ましくは、前記仮想のラインＶＬに近接して配置されたクリート１２，１３，３２，３３の前記第１辺Ｓ１に隣接する一対の第２辺Ｓ２，Ｓ２に沿って、前記第１溝Ｇ１に連なる第２溝Ｇ２が形成されている。
【００６５】
この場合、前記第１辺Ｓ１の近傍においてミッドソール４が更に下方に沈み易い。
なお、第２辺Ｓ２の全長にわたって第２溝Ｇ２が設けられていなくても、第１溝Ｇ１に連なるように第２溝Ｇ２が設けられていればよい。
【００６６】
更に好ましくは、前記基底面５Ｓには前記仮想のラインＶＬに沿って前足部５Ｆから後足部５Ｒまで延びる長い溝Ｇが形成されている。
【００６７】
この場合、長い溝Ｇは基底面５Ｓに対し窪んでおり、長い溝Ｇにおいてアウトソール５は基底部（基底面５Ｓで定義される部位）に比べ厚さが薄い。そのため、前記長い溝Ｇにおいてミッドソール４の上面が更に下方に沈み易い。
【００６８】
好ましくは、前記第１クリート１１〜１４のうちの中央寄りのクリート１２，１３と、前記第２クリート２２，２３と、前記第３クリート３１〜３４のうちの中央寄りのクリート３２，３３は、方形の厚板状に形成されている。
【００６９】
方形状のクリートは、Ｖ字型やＵ字型のクリートとは異なり、係合面が直線的である。そのため、Ｖ字型などに比べクリートに粘土質の土が付着しにくい。
【００７０】
好ましくは、前記２ｍｍ〜１０ｍｍの高さを持つ第２クリート２２，２３の前記頂面Ｔの面積の総和が、靴底の中足部５Ｍを平面に投影した投影面積の２０％〜６０％である。
【００７１】
中足部５Ｍにおいて、頂面Ｔの面積の総和が２０％未満であると、中足部５Ｍにおける接地面積が小さく、そのため、着用者は突き上げを感じ易いし、しかも、第２クリートの数や大きさが不足し易く、十分な係合力が得られにくいだろう。
【００７２】
中足部５Ｍにおいて、頂面Ｔの面積の総和が６０％を越えると、中足部５Ｍにおける接地面積が大きく、そのため、第２クリートが土中に入り込みにくいし、しかも、第２クリートに係合する土の量が少なく、十分な係合力が得られにくいだろう。
【００７３】
かかる観点から、より好ましくは、中足部５Ｍにおいては前記総和が投影面積の３０％〜５０％に設定される。
【００７４】
同様の理由から、好ましくは、前記前足部５Ｆにおける第１中足趾節間関節ＭＰ１よりも後方Ｄ２の領域５ＦＲにおいて前記２ｍｍ〜１０ｍｍの高さを持つクリート１１〜１６の頂面Ｔの面積の総和が、靴底の前記後方Ｄ２の領域５ＦＲを平面に投影した投影面積の２５％〜６５％である。
【００７５】
かかる前足部５Ｆにおける面積比は３５％〜５５％であるのが更に好ましい。
【００７６】
好ましくは、前記前足部５Ｆにおける中足趾節間関節を連ねたラインＭＰよりも後方Ｄ２の領域５Ｆ２には、第４クリート４２，４３が設けられ、
前記第４クリート４２，４３のうち、足の内側ＭＥに配置された内側第４クリート４２は、斜め前方Ｄ１の外側ＬＡに向かう係合面４２Ｅを有し、
前記第４クリート４２，４３のうち、足の外側ＬＡに配置された外側第４クリート４３は、斜め前方Ｄ１の内側ＭＥに向かう係合面４３Ｅを有する。
【００７７】
前記アウトソール５における前足部５Ｆの後方の領域５Ｆ２には、降り歩行時に図１１Ａの一点鎖線で示すように、斜め後方に向かう荷重が作用する。したがって、斜め前方Ｄ１に向かう係合面４２Ｅ,４３Ｅを持つ第４クリート４２，４３が前記後方の領域５Ｆ２に設けられることで、降り歩行時のグリップ性が更に向上するだろう。
【００７８】
好ましくは、前記前足部５Ｆにおける母趾球Ｏ１よりも前方Ｄ１において、前記内側第１クリート１１は、後方Ｄ２のクリート程、前記角θ１１が大きい。
【００７９】
この場合、内側第１クリート１１は母趾球Ｏ１に近い程、角θ１１が大きく、そのため、図１１Ａの実線で示す荷重に対する係合力が発揮される。
【００８０】
好ましくは、前記前足部５Ｆにおける母趾球Ｏ１の周りには、前記母趾球Ｏ１に向かう係合面１０Ｅ，１１Ｅ，４２Ｅ，４３Ｅを持つ複数の第１および第４クリート１０，１１，４２，４３を更に備える。
この場合、登り及び降り歩行時に母趾球Ｏ１を中心に生じる放射方向の荷重に対し、各クリートが土に効率良く係合する。
【００８１】
好ましくは、前記中足部５Ｍには、
斜め前方Ｄ１の外側に向かう係合面２１Ｅを有し、前記内側第２クリート２２よりも内縁寄りに配置された内縁寄り第２クリート２１と、
前記斜め前方Ｄ１の内側に向かう係合面２４Ｅを有し、前記外側第２クリート２３よりも外縁寄りに配置された外縁寄り第２クリート２４とを更に備える。
この場合、内外縁寄りの第２クリート２１，２４は係合力を増大させる。
更に好ましくは、前記内縁寄り第２クリート２１は前記内側第２クリート２２のうち最も後方の内側第２クリート２２よりも更に後方に配置され、
前記外縁寄り第２クリート２４は前記外側第２クリート２３のうち最も後方の外側第２クリート２３よりも更に後方に配置されている。
この場合、前記内側第２クリート２２および前記外側第２クリート２３よりも、内外縁寄りの第２クリート２１，２４が後方に配置されていることで、後足部５Ｒから中足部５Ｍにかけて係合力や支持力を更に発揮しやすくなり、後足部５Ｒから中足部５Ｍの支持が更に安定し易いだろう。
更に好ましくは、前記内側第２クリート２２のうちの最も後方の内側第２クリート２２と前記内側第３クリート３２のうち最も前方の内側第３クリート３２との間には、これらのクリート２２，３２に対し、前記係合面２１Ｅに垂直な法線ＮＬの方向にオフセットされて、前記内縁寄り第２クリート２１が配置され、
前記外側第２クリート２３のうち最も後方の外側第２クリート２３と前記外側第３クリート３３のうち最も前方の外側第３クリート３３との間には、これらのクリート２３，３３に対し、前記係合面２４Ｅに垂直な法線ＮＬの方向にオフセットされて、前記外縁寄り第２クリート２４が配置されている。
この場合、中足部５Ｍにおいて、少なくとも４つのクリート２１〜２４が互いにオフセットされている。そのため、後足部５Ｒから中足部５Ｍにかけて係合力や支持力を更に一層発揮しやすくなり、後足部５Ｒから中足部５Ｍの支持が更に一層安定し易いだろう。
【００８２】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。
【実施例】
【００８３】
以下、本発明の実施例が図面にしたがって説明される。
本実施例は例えばトレイルランニング・ウォーキング用の靴の靴底である。
図４に示すように、靴底はゴム製のアウトソール５と樹脂製のミッドソール４とを備える。なお、靴底の上には足の甲を包むアッパー（図示せず）が設けられる。【００８４】
ミッドソール４は例えばＥＶＡの発泡体からなるミッドソール本体４０と、同じくＥＶＡの発泡体または非発泡体からなる強化装置４１とを備える。なお、「樹脂製」とは、熱可塑性等の樹脂成分を有するという意味で、任意の適宜の他の成分を含む。また、ミッドソール４には低反発材、高反発材および溝などが設けられてもよい。【００８５】
アウトソール５はミッドソール本体４０よりも耐摩耗性の大きい接地底で、一般に、ミッドソール本体４０の発泡体より硬度が大きい。なお、「ゴム製」とは天然ゴムや合成ゴムの成分を有するという意味で、任意の他の成分を含む。【００８６】
図１に示すように、前記アウトソール５には、ゴム製の複数の第１クリート１１〜１４、第２クリート２１〜２４および第３クリート３１〜３４が、各々、前足部５Ｆ、中足部５Ｍおよび後足部５Ｒに配置されている。【００８７】
前記前足部５Ｆ、中足部５Ｍおよび後足部５Ｒとは、それぞれ、図１０Ｂの足の前足１Ｆ、中足１Ｍおよび後足１Ｒを覆う部位を意味する。前記前足１Ｆは５本の中足骨と１４個の趾骨からなる。前記中足１Ｍは舟状骨、立方骨および３個の楔状骨からなる。【００８８】
図４〜図９に示すように、前記各クリートは図４のアウトソール５の基底面５Ｓから下方に向かって突出し、アウトソール５に一体に形成されている。なお、基底面５Ｓとは、ミッドソール４の下面に沿って概ね一定の厚さを有する部位の底面を意味し、一般に、浅い溝や、小さな凹凸を有する。【００８９】
図２に拡大して示す前足部５Ｆにおいて、前記第１クリート１１〜１４のうち、足の内側ＭＥに配置された内側第１クリート１１，１２は、斜め後方Ｄ２の外側ＬＡに向かう係合面１１Ｅ，１２Ｅを有する。一方、前記第１クリート１１〜１４のうち、足の外側ＬＡに配置された外側第１クリート１３，１４は、斜め後方Ｄ２の内側ＭＥに向かう係合面１３Ｅ，１４Ｅを有する。
なお、前足部５Ｆには、後述するゴム製の内側補助クリート１５および外側補助クリート１６がアウトソール５に一体に形成されている。【００９０】
図３に拡大して示す中足部５Ｍにおいて、前記第２クリート２２，２３のうち、足の内側ＭＥに配置された内側第２クリート２２は、斜め前方Ｄ１の外側ＬＡに向かう係合面２２Ｅを有する。一方、前記第２クリート２２，２３のうち、足の外側ＬＡに配置された外側第２クリート２３は、斜め前方Ｄ１の内側ＭＥに向かう係合面２３Ｅを有する。
図３の中足部５Ｍの後端において、前記第２クリート２２，２３の内外には内縁寄り第２クリート２１および外縁寄り第２クリート２４が設けられている。前記内縁寄り第２クリート２１は外側ＬＡの前方Ｄ１に向かう係合面２１Ｅを有する。一方、前記外縁寄り第２クリート２４は内側ＭＥの前方Ｄ１に向かう係合面２４Ｅを有する。
前記内縁寄りの第２クリート２１は内側第２クリート２２のうちの後方Ｄ２のクリートと内側第３クリート３２に対し、前記法線ＮＬ方向にオフセットされて、かつ、交互に配置されている。
前記外縁寄りの第２クリート２４は外側第２クリート２３のうちの後方Ｄ２のクリートと外側第３クリート３３に対し、前記法線ＮＬ方向にオフセットされて、かつ、交互に配置されている。
すなわち、前記内縁寄り第２クリート２１は前記内側第２クリート２２のうち最も後方の内側第２クリート２２よりも更に後方に配置されている。一方、前記外縁寄り第２クリート２４は前記外側第２クリート２３のうち最も後方の外側第２クリート２３よりも更に後方に配置されている。
前記内側第２クリート２２のうちの最も後方の内側第２クリート２２と前記内側第３クリート３２のうち最も前方の内側第３クリート３２との間には、これらのクリート２２，３２に対し、前記係合面２１Ｅに垂直な法線ＮＬの方向にオフセットされて、前記内縁寄り第２クリート２１が配置されている。
前記外側第２クリート２３のうち最も後方の外側第２クリート２３と前記外側第３クリート３３のうち最も前方の外側第３クリート３３との間には、これらのクリート２３，３３に対し、前記係合面２４Ｅに垂直な法線ＮＬの方向にオフセットされて、前記外縁寄り第２クリート２４が配置されている。
前記内側第２クリート２２と、前記外側第２クリート２３とは、足の長軸方向ＣＬ方向に互いにオフセットされて配置されている。
前記各第２クリート２１〜２４は、少なくとも一部が、より好ましくは大半が中足部５Ｍに配置されていればよい。また、各第３クリート３１〜３４は、少なくとも一部が、より好ましくは大半が後足部５Ｒに配置されていればよい。
なお、大半とは半分以上という意味である。
また、前記内外縁寄りの第２クリート２１，２４は無負荷の状態で接地していてもよいし、前記内側および外側の第２クリート２２，２３と同様に、無負荷の状態で接地せず、前記荷重下で接地してもよい。【００９１】
図３の後足部５Ｒにおいて、前記第３クリート３１〜３４のうち、足の内側ＭＥに配置された内側第３クリート３１，３２は、斜め前方Ｄ１の外側ＬＡに向かう係合面３１Ｅ,３２Ｅを有する。一方、前記第３クリート３１〜３４のうち、足の外側ＬＡに配置された外側第３クリート３３，３４は、斜め前方Ｄ１の内側ＭＥに向かう係合面３３Ｅ,３４Ｅを有する。【００９２】
図３において、前記内側第３クリート３１，３２は、複数の内縁寄りのクリート３１および中央寄りのクリート３２を備える。前記複数の中央寄りのクリート３２は足の前後方向に互いに離間し、かつ、アウトソール５の内縁よりも足の長軸ＣＬに近い位置に配置されている。前記複数の内縁寄りのクリート３１は、足の前後方向に互いに離間し、かつ、前記長軸ＣＬよりも前記内縁に近い位置に配置されている。【００９３】
前記外側第３クリート３３，３４は、複数の中央寄りのクリート３３および外縁寄りのクリート３４を備える。前記複数の中央寄りのクリート３３は足の前後方向に互いに離間し、かつ、アウトソール５の外縁よりも足の長軸ＣＬに近い位置に配置されている。前記複数の外縁寄りのクリート３４は足の前後方向に互いに離間し、かつ、前記長軸ＣＬよりも前記外縁に近い位置に配置されている。【００９４】
前記内側第３クリート３１，３２のうち、互いに隣り合う前記中央寄りのクリート３２と前記内縁寄りのクリート３１とは、これらの各クリート３１，３２の係合面３１Ｅ，３２Ｅに垂直な法線ＮＬの方向に互いにオフセットされて、かつ、交互に配置されている。
また、前記外側第３クリート３３，３４のうち互いに隣り合う中央寄りのクリート３３と前記外縁寄りのクリート３４とは、これらの各クリート３３，３４の係合面３３Ｅ，３４Ｅに垂直な法線ＮＬの方向に互いにオフセットされて、かつ、交互に配置されている。【００９５】
本発明において、「法線ＮＬ方向に互いにオフセットされて、かつ、交互に配置されている」とは単にオフセットされているだけでなく、法線ＮＬ方向において、たとえば、中央寄りのクリート３３（３２）と中央寄りのクリート３３（３２）との間の位置に外縁寄りのクリート３４（３１）が配置され、法線ＮＬ方向において外縁寄りのクリート３４（３１）と外縁寄りのクリート３４（３１）との間の位置に中央寄りのクリート３３（３２）が配置されていることを意味する。【００９６】
前記内側第３クリート３１，３２のうち前記中央寄りのクリート３２と、前記外側第３クリート３３，３４のうち前記中央寄りのクリート３３とは、前記長軸ＣＬ方向に互いに若干オフセットされて配置されている。【００９７】
図２において、前記内側第１クリート１１，１２は、複数の内縁寄りのクリート１１および中央寄りのクリート１２を備える。前記複数の中央寄りのクリート１２は、足の前後方向に互いに離間し、かつ、アウトソール５の内縁よりも足の長軸ＣＬに近い位置に配置されている。前記複数の内縁寄りのクリート１１は、足の前後方向に互いに離間し、かつ、前記長軸ＣＬよりも前記内縁に近い位置に配置されている。【００９８】
前記外側第１クリート１３，１４は、複数の中央寄りのクリート１３および外縁寄りのクリート１４を備える。前記複数の中央寄りのクリート１３は、足の前後方向に互いに離間し、かつ、アウトソール５の外縁よりも足の長軸ＣＬに近い位置に配置されている。前記複数の外縁寄りのクリート１４は、足の前後方向に互いに離間し、かつ、前記長軸ＣＬよりも前記外縁に近い位置に配置されている。【００９９】
前記内側第１クリート１１，１２のうち前記中央寄りのクリート１２と、前記内縁寄りのクリート１１とは、これらの各クリート１１，１２の係合面１１Ｅ，１２Ｅに垂直な法線ＮＬの方向に互いにオフセットされて、かつ、交互に配置されている。
また、前記外側第１クリート１３，１４のうち前記中央寄りのクリート１３と前記外縁寄りのクリート１４とは、これらの各クリート１３，１４の係合面１３Ｅ，１４Ｅに垂直な法線ＮＬの方向に互いにオフセットされて、かつ、交互に配置されている。
なお、「法線ＮＬ方向に互いにオフセットされて、かつ、交互に配置されている」の意味は前述と同様である。【０１００】
前記内側第１クリート１１，１２のうち前記中央寄りのクリート１２と、前記外側第１クリート１３，１４のうち前記中央寄りのクリート１３とは、前記長軸ＣＬ方向に互いにオフセットされて配置されている。なお、第１クリート１１〜１４は、少なくとも一部が、より好ましくは大半が前足部５Ｆに配置されていればよい。【０１０１】
前記前足部５Ｆには、前記内側補助クリート１５および前記外側補助クリート１６を更に備える。前記各補助クリート１５，１６は前記第１クリート１１〜１４から離間して配置されている。【０１０２】
前記内側補助クリート１５は、前記内側第１クリート１１，１２のうちの互いに隣り合う２つの内縁寄りのクリート１１，１１と、互いに隣り合う２つの中央寄りのクリート１２，１２とで囲まれた領域に配置され、前記内側第１クリート１１，１２の係合面１１Ｅ，１２Ｅと交差する面上に係合面１５Ｅを持つ。
前記外側補助クリート１６は前記外側第１クリート１３，１４のうちの互いに隣り合う２つの外縁寄りのクリート１４，１４と、互いに隣り合う２つの中央寄りのクリート１３，１３とで囲まれた領域に配置され、前記外側第１クリート１３，１４の係合面１３Ｅ，１４Ｅと交差する面上に係合面１６Ｅを持つ。【０１０３】
図５Ａおよび図５Ｂに示すように、前記第１クリート１１〜１４の係合面１１Ｅ〜１４Ｅと前記基底面５Ｓとがなす角α１は、前記第１クリート１１〜１４の前面ＦＳと前記基底面５Ｓとがなす角β１と同じか、あるいは、この角β１よりも直角に近い角度である。【０１０４】
より詳しくは、中央寄りのクリート１２，１３の係合面１２Ｅ，１３Ｅは前面ＦＳよりも前記角α１が直角に近いが直角ではない。一方、内縁および外縁寄りのクリート１１、１４の係合面１１Ｅ、１４Ｅは前記角α１が直角である。
なお、各係合面１１Ｅ〜１４Ｅの角α１と各前面ＦＳの角β１が同じであってもよい。【０１０５】
図５Ｃに示すように、前記補助クリート１５，１６の係合面１５Ｅ，１６Ｅは傾斜面で形成されている。【０１０６】
図３の４つの前記第２クリート２２，２３の係合面２２Ｅ，２３Ｅと図５Ｄの前記基底面５Ｓとがなす角α２は、前記第２クリート２２，２３の後面ＢＳと前記基底面５Ｓとがなす角β２よりも直角に近い角度である。本実施例の場合、角α２は直角で、角β２は前記基底面５Ｓに対し傾斜している。なお、角α２およびβ２は両方とも直角でもよいし、あるいは、両方とも前記基底面５Ｓに対し傾斜していてもよい。【０１０７】
図５Ｅおよび図５Ｆに示すように、前記第３クリート３１〜３４の係合面３１Ｅ〜３４Ｅと前記基底面５Ｓとがなす角α３は、前記第３クリート３１〜３４の後面ＢＳと前記基底面５Ｓとがなす角β３と同じか、あるいは、この角β３よりも直角に近い角度である。【０１０８】
より詳しくは、中央寄りのクリート３２，３３の係合面３２Ｅ，３３Ｅの角α３は後面ＢＳの角β３と同じ角度で、かつ、直角ではない。一方、内縁および外縁寄りのクリート３１，３４の係合面３１Ｅ，３４Ｅは前記角α３が直角である。なお、この係合面３１Ｅ，３４Ｅの角α３と各後面ＢＳの角β３とは同じであってもよい。【０１０９】
図３において、前記第２クリート２２，２３の係合面２２Ｅ，２３Ｅに垂直な法線ＮＬと足の長軸ＣＬとのなす角θ２２，θ２３は１５°〜４５°に設定されている。当該係合面２２Ｅ，２３Ｅの面積は４０〜２００平方ミリメートルに設定されている。【０１１０】
同図において、前記第３クリート３１〜３４の係合面３１Ｅ〜３４Ｅに垂直な法線ＮＬと足の長軸ＣＬとのなす角θ３１〜θ３４は１５°〜４５°に設定されている。当該係合面３１Ｅ〜３４Ｅの面積は４０〜２００平方ミリメートルに設定されている。【０１１１】
図２において、前記第１クリート１１〜１４の係合面１１Ｅ〜１４Ｅに垂直な法線ＮＬと足の長軸ＣＬとのなす角θ１１〜θ１４は２０°〜６０°に設定されている。当該係合面１１Ｅ〜１４Ｅの面積は４０〜２００平方ミリメートルに設定されている。【０１１２】
前記第１クリート１１〜１４のうち中央寄りのクリート１２，１３は、足の内側ＭＥに配置された内側第１クリート１２の係合面１２Ｅよりも外側ＬＡに配置された外側第１クリート１３の係合面１３Ｅの方が面積が大きい。【０１１３】
図５Ａ〜図５Ｆにおいて、前記第１、内側補助、外側補助、第２および第３クリート１１〜１６，２２，２３，３１〜３４の前記基底面５Ｓからの突出高さＨは、例えば２．８ｍｍ〜４．２ｍｍに設定されている。【０１１４】
図４Ｂにおいて、前記強化装置４１は前記ミッドソール本体４０よりもヤング率が大きく、好ましくは、前記ミッドソール本体４０およびアウトソール５よりもヤング率が大きい。図１の破線で示す前記強化装置４１の真下には、前記第２クリート２２，２３のうち最も前方Ｄ１に配置された第２クリート２２，２３の少なくとも一部が配置されている。【０１１５】
前記内側第２クリート２２は足の前後方向に互いに離間して複数配置され、図４Ａおよび図４Ｂに示すように、無負荷の状態において後方Ｄ２の内側第２クリート２２の頂面Ｔよりも前方の内側第２クリート２２の頂面Ｔの方が路面１００からの距離が大きい。
図３の前記外側第２クリート２３は足の前後方向に互いに離間して複数配置され、図４Ａおよび図４Ｂの無負荷の状態において後方Ｄ２の外側第２クリート２３の頂面Ｔよりも前方の外側第２クリート２３の頂面Ｔの方が路面からの距離が大きい。【０１１６】
すなわち、前記前方Ｄ１の第２クリート２２、２３の頂面Ｔは前記無負荷の状態において路面１００に接地しないが、片足荷重を足のサイズで除した値が、たとえば、１．３ｋｇ／ｃｍ以上である場合に接地する。なお、前記荷重は通常の体格を持つ着用者の歩行ないし走行時において生じる。【０１１７】
図２および図３に示すように、前記基底面５Ｓには前記仮想のラインＶＬに沿って後足部５Ｒから図２の前足部５Ｆまで延びる長い溝Ｇが形成されている。なお、長い溝Ｇは足の長軸ＣＬに沿って前後に滑らかに延びる。より詳しくは、前記仮想のラインＶＬは、図３の中足部５Ｍおよび後足部５Ｒにおいては足の長軸ＣＬと概ね同じ位置に設定され（長い溝Ｇが前記長軸ＣＬと重なり）、図２の前足部５Ｆにおいて長軸ＣＬよりも内側ＭＥに傾いて前方に延びる。【０１１８】
図１において、前記各内側クリート１１，１２，２２，３１，３２は前記仮想のラインＶＬよりも内側ＭＥに配置されている。前記各外側クリート１３，１４，２３，３３，３４は前記仮想のラインＶＬよりも外側ＬＡに配置されている。【０１１９】
図１の前記第１および第３クリート１１〜１４、３１〜３４のうち前記長い溝Ｇに近接して配置されたクリート１２，１３，３２，３３の横には前記仮想のラインＶＬに最も接近した図２および図３の第１辺Ｓ１に沿った第１溝Ｇ１が形成されている。【０１２０】
図６〜図９に示すように、これらのクリート１２，１３，３２，３３の前記第１辺Ｓ１に隣接する一対の第２辺Ｓ２，Ｓ２に沿って、前記第１溝Ｇ１に連なる第２溝Ｇ２が形成されている。【０１２１】
さらに、これらのクリート１２，１３，３２，３３の前記第１辺Ｓ１とは反対側の第３辺Ｓ３に沿って前記第２溝Ｇ２に連なる第３溝Ｇ３が形成されている。【０１２２】
図６〜図９に示すように、前記第１クリート１１〜１４のうちの中央寄りのクリート１２，１３と、前記第２クリート２２，２３と、前記第３クリート３１〜３４のうちの中央寄りのクリート３２，３３は、方形の厚板状に形成されている。【０１２３】
本実施例の場合、図１の前記方形の第１クリート１２，１３は台形状の厚板状に形成されている。前記方形の第２および第３クリート２２，２３，３２，３３は平行四辺形状の厚板状に形成されている。【０１２４】
図６〜図９および図４Ａから分かるように、アウトソール５は、内外縁および前後端において、つまり、アウトソール５の周縁において上方のミッドソール４に沿って巻き上がっている。アウトソール５の基底面５Ｓがラウンドしており、そのため、走行や歩行がし易い。
なお、前後端のクリート５１，５２は基底面５Ｓから２．８ｍｍ〜４．５ｍｍ程度突出している。【０１２５】
図１において、前記各第１、第２および第３クリート１１〜１４，２２，２３，３１〜３４における接地する頂面Ｔの面積は、それぞれ、５０〜３００平方ミリメートルに設定されている。【０１２６】
図１０Ａにおいて、前記突出高さＨが２．８ｍｍ〜４．２ｍｍのクリート１１〜１６，２１〜２４，３１〜３４の頂面Ｔの部位には、網点を付している。【０１２７】
図１０Ａの中足部５Ｍにおいて、前記２．８ｍｍ〜４．２ｍｍの高さを持つ第２クリート２２，２３の前記頂面Ｔの面積の総和は、靴底の中足部５Ｍを平面に投影した投影面積の３０％〜５０％である。【０１２８】
一方、前記前足部５Ｆにおける第１中足趾節間関節ＭＰ１よりも後方Ｄ２の領域５ＦＲにおいて、前記２．８ｍｍ〜４．２ｍｍの高さを持つクリート１１〜１６の頂面Ｔの面積の総和は、靴底の前記後方Ｄ２の領域５ＦＲを平面に投影した投影面積の３５％〜５５％で、前記中足部５Ｍのそれに比べ大きいのが好ましい。中足部５Ｍにおいては粘土がクリート間に存し易く、クリートの比率を小さくするのが好ましいからである。【０１２９】
つぎに、図１１Ｂ〜図１１Ｄの例について説明する。
これらの図において、各クリートの頂面Ｔには、網点が付されている。また、基底面５Ｓに直角又は直角に近い面、つまり係合面１１Ｅ，１４Ｅ，２２Ｅ，２３Ｅ，３２Ｅ，３３Ｅ，４２Ｅおよび４３Ｅは、他の面を表す線よりも太い線で描かれている。【０１３０】
図１１Ｂの例において、前記前足部５ＦにおけるＭＰ関節を連ねたラインＭＰよりも後方Ｄ２の領域５Ｆ２には、第４クリート４２，４３が設けられている。前記第４クリート４２，４３のうち、足の内側ＭＥに配置された内側第４クリート４２は、斜め前方Ｄ１の外側ＬＡに向かう係合面４２Ｅを有する。前記第４クリート４２，４３のうち、前記内側第４クリート４２よりも足の外側ＬＡ寄りに配置された外側第４クリート４３は、斜め前方Ｄ１の内側ＭＥに向かう係合面４３Ｅを有する。【０１３１】
前記前足部５ＦのＭＰ関節を連ねたラインＭＰよりも前方Ｄ１には、内外の中央に中央第１クリート１０，１０が配置されている。この中央第１クリート１０は、その係合面１０Ｅが概ね真横に延びる。前記係合面１０Ｅは後方Ｄ２に向いている。【０１３２】
前記前足部５Ｆにおける母趾球Ｏ１よりも前方Ｄ１において、前記内側第１クリート１１は、後方Ｄ２のクリート程、前記角θ１１（図２参照）が大きい。図１１Ｂの前記一部の第１クリート１０，１１および第４クリート４２，４３は前記前足部５Ｆにおける母趾球Ｏ１の周りに配置され、前記母趾球Ｏ１ないしＭＰ関節を連ねたラインＭＰに向かう係合面１０Ｅ，１１Ｅ，４２Ｅ，４３Ｅを持つ。【０１３３】
図１１Ｃの例では、クリートがＶ字型に形成されている。また、図１１Ｄの例ではクリートが方形やＶ字以外の形状を有している。クリートの形状は２種以上であってもよい。【０１３４】
以上のとおり、図面を参照しながら好適な実施例を説明したが、当業者であれば本明細書を見て、自明な範囲で種々の変更および修正を容易に想定するであろう。
たとえば、溝Ｇ，Ｇ１〜Ｇ３は設けられなくてもよい。また、第２クリート２２，２３の周りに溝を設けてもよい。
したがって、そのような変更および修正は、請求の範囲から定まる本発明の範囲のものと解釈される。
【産業上の利用可能性】
【０１３５】
本発明はトレイルランニング用、登山用、クロスカントリー用の他に、散歩用、雨靴用および日常的な靴の靴底に利用できる。
【符号の説明】
【０１３６】
１Ｆ：前足  １Ｍ：中足  １Ｒ：後足
４：ミッドソール  ４０：ミッドソール本体  ４１：強化装置
５：アウトソール  
５Ｆ：前足部  ５ＦＲ：ＭＰ１よりも後方の領域  ５Ｆ２：ＭＰよりも後方の領域  ５Ｍ：中足部  ５Ｒ：後足部  ５Ｓ：基底面
１０：中央第１クリート  １１，１２：内側第１クリート  １３，１４：外側第１クリート  １０Ｅ〜１４Ｅ：係合面  
１５：内側補助クリート  １６：外側補助クリート  １５Ｅ，１６Ｅ：係合面
２１：内縁寄り第２クリート  ２２：内側第２クリート  ２３：外側第２クリート  ２４：外縁寄り第２クリート  ２１Ｅ〜２４Ｅ：係合面
３１，３２：内側第３クリート  ３３，３４：外側第３クリート  ３１Ｅ〜３４Ｅ：係合面
４２：内側第４クリート  ４３：外側第４クリート  ４２Ｅ，４３Ｅ：係合面
１００：路面
ＢＳ：後面  ＦＳ：前面  Ｔ：頂面
ＣＬ：長軸  ＮＬ：法線  ＶＬ：仮想のライン
Ｄ１：前方  Ｄ２：後方
Ｇ：溝  Ｇ１：第１溝  Ｇ２：第２溝  Ｇ３：第３溝
Ｈ：突出高さ
Ｓ１：第１辺  Ｓ２：第２辺  Ｓ３：第３辺
ＭＥ：内側  ＬＡ：外側
ＭＰ：中足趾節間関節を連ねたライン  ＭＰ１：第１中足趾節間関節  Ｏ１：母趾球
α１〜α３，β１〜β３：角  θ１１〜θ１４，θ２２，θ２３，θ３１〜θ３４：角
【要約】
ゴム製のアウトソールの基底面から突出した多数の第１、第２および第３クリートが配置された靴底において、前足部の足の内側ＭＥに配置された内側第１クリートは、斜め後方の外側に向かう係合面を有し、前足部の足の外側に配置された外側第１クリートは、斜め後方の内側に向かう係合面を有し、中足部の足の内側に配置された内側第２クリートは、斜め前方の外側に向かう係合面を有し、中足部の足の外側に配置された外側第２クリートは、斜め前方の内側に向かう係合面を有し、後足部の足の内側に配置された内側第３クリートは、斜め前方の外側に向かう係合面を有し、後足部の足の外側に配置された外側第３クリートは、斜め前方の内側に向かう係合面を有する。【図１】
0005583874.tif 000002
【図２】
0005583874.tif 000003
【図３】
0005583874.tif 000004
【図４】
0005583874.tif 000005
【図５】
0005583874.tif 000006
【図６】
0005583874.tif 000007
【図７】
0005583874.tif 000008
【図８】
0005583874.tif 000009
【図９】
0005583874.tif 000010
【図１０】
0005583874.tif 000011
【図１１】
0005583874.tif 000012